(57)【要約】【課題】  複数の電線又はこれに連結される端子同士を容易に電気的に導通させることができる配線具を提供する。【解決手段】  配線具（１ａ，１ｂ，１ｃ）は、少なくとも一部が金属で作られており、１つのブレーカ（２ａ）の充電部に接続される３本の電線（５）及び複数の電力量計（３ａ，３ｂ，３ｃ）に接続される電圧測定用コード（７）のそれぞれに連結したクリップを挟んでクリップ間を電気的に導通させる狭持部（２１）と、狭持部（２１）を覆うプラスチックで作られたカバー（８ａ，８ｂ，８ｃ）とを具備する。【選択図】  図１
2007005199.tif 000002
【特許請求の範囲】
【請求項１】
少なくとも一部が導電性材料で作られており、複数の電線又は該電線に連結された端子を挟んで該電線又は端子間を電気的に導通させる狭持部と、
前記狭持部を覆う絶縁材料で作られたカバーと
を具備することを特徴とする配線具。
【請求項２】
請求項１記載の配線具において、
前記カバーは、互いに対向する向きに回動可能に連結され、内側が中空になるように組み合う一対のカバー構成部材から成り、
前記狭持部は、前記カバーの内側で、前記カバー構成部材の一方に取り付けらた導電性材料で作られた導電部と、前記カバー構成部材の他方に取り付けられ又は該他方のカバー構成部材の一部を成す狭持部材とから成る
ことを特徴とする配線具。
【請求項３】
請求項２記載の配線具において、前記一対のカバー構成部材は、互いに対向する向きに回動するように弾性部材によって付勢されていることを特徴とする配線具。
【請求項４】
請求項２又は３記載の配線具において、前記狭持部材も導電性材料で作られていることを特徴とする配線具。
【請求項５】
請求項１乃至４のいずれか記載の配線具において、前記電線は、ブレーカ等の充電部に接続される電線及び複数の電力量計に接続される電線であることを特徴とする配線具。
【請求項６】
請求項１乃至５のいずれか記載の配線具において、前記導電部は、その表面に凹凸が設けられていることを特徴とする配線具。
【発明の詳細な説明】
【技術分野】
【０００１】
本発明は、複数の電線又はこれに連結された端子同士を電気的に導通させる配線具に関する。更に詳細には、ブレーカ等の充電部に電力量計を安全に取り付けることができる配線具に関する。
【背景技術】
【０００２】
一般に、住宅や工場等の電力需要施設では、使用した電力を計量する電力量計が設置されており、計量した電力量に応じた電力料金が毎月算出される。電力料金は、計量された電力量に比例して一律に決まるものではなく、各電力需要施設において所定時間内に計量された電力量の最大値に基づいて設定される基本料金と、基本料金毎に定められる課金率を電力量に乗じて得た従量料金との和からなる。基本料金の設定基準である所定時間内に計量された電力量は、デマンド値と呼ばれており、１年間（例えば、３６５日）を３０分毎に１７，５２０個の期間に分割し、各期間ごとに計量される電力量の平均値のうちの最大値のことである。
【０００３】
従って、電力需要施設においては、デマンド値を下げることができれば、電力料金の算出基準である基本料金及び課金率を低減してコスト削減を図ることができる。また、電力事業者においては、デマンド値に基づいて、即ち発電量の最大値に合わせて発電設備を配備し、これを運転するため、デマンド値の低減は、発電設備に掛かるコストや発電に伴う二酸化炭素等の温暖化ガスの排出量を低減することができる。
【０００４】
しかしながら、デマンド値に基づいて一旦基本料金が設定されると、その後一年間は基本料金を変更することができないため、電力料金の低減を希望する電力需要施設では、電力の使用量が多くなる時間帯に効率的に省電力化を図るため、電力使用量の推移を監視している。これは、電力会社等の電力事業者がサービスとして提供する場合もある。
【０００５】
従来、電力使用量の推移を監視する場合には、例えば、図８のように、携帯型の電力量計３ａ，３ｂ，３ｃを使用して、分電盤（図示省略）内に配置された複数のブレーカ２ａ，２ｂ，２ｃを流れる電流、及び負荷側へ電力を供給する３本の電線１０のうち２本の電線間で電位差を測定し、電力使用量の推移及び電力量を求めて記録する。
【０００６】
具体的には、各電力量計３ａ，３ｂ，３ｃには、３本の電圧測定用コード７及び２本の電流測定用コード１７が接続される。各電圧測定用コード７の一端は、クリップ１３に連結され、負荷側へ電力を供給する電線１０をブレーカ２ａ，２ｂ，２ｃに固定しているボルト１１の頭部をクリップ１３で挟むことにより、負荷側の電線１０に接続される。電流測定用コード７の一端は、電線内を流れる電流を非接触で測定可能なクランプメータ１８に連結されている。クランプメータ１８は、負荷側の３本の電線１０のうち２本の電線に流れる電流を測定するのに用いられる。そして、電力量計３ａ，３ｂ，３ｃは、測定した電圧値及び電流値に基づいて電力使用量の推移を記録する。
【０００７】
また、電力量計３ａ，３ｂ，３ｃは、求めた電力量を画面上に表示することができるとともに、有線又は無線でコンピュータと通信可能な構成になっている。これにより、電力使用量の推移を所定期間（例えば、１０日間）記録した後、そのデータをコンピュータに送信することにより、電力使用量の多い時間帯を確認できるグラフ等の資料を作成することができ、効率的な省電力化を図るために利用することができる。
【０００８】
下記特許文献１には、ブレーカ等の端子台に電力量計等の測定器を取り付ける場合、端子台に電線を固定しているネジ又はボルトをクリップで掴むだけではクリップが外れ易いという課題を解決するため、電線を挟んで固定する電線挟み部材と、この電線挟み部材に端子台に向けて付勢した長尺の接続端子を設けた端子が記載されている。
【０００９】
【特許文献１】特開平１１−３１５４６号公報
【発明の開示】
【発明が解決しようとする課題】
【００１０】
しかしながら、一般に、ブレーカに接続される電線同士の間隔は非常に狭いため、前記特許文献に記載の端子を各電線に取り付けるのは困難であるとともに、ブレーカの充電部近くで配線が煩雑になり、短絡させてしまうおそれがある。
【００１１】
また、図８に示した電力使用量の推移を監視する従来の方法においても、ブレーカに電線を固定しているボルト同士の間隔が非常に狭いうえに、全てのボルトをクリップでそれぞれ挟むことにより配線が煩雑になり、誤ってクリップ同士で短絡させてしまうおそれがある。
【００１２】
本発明は、上記事情に鑑み、複数の電線又はこれに連結された端子同士を容易に電気的に導通させることができる配線具を提供することを目的とする。
【課題を解決するための手段】
【００１３】
本発明の配線具は、少なくとも一部が導電性材料で作られており、複数の電線又は該電線に連結された端子を挟んで該電線又は端子間を電気的に導通させる狭持部と、前記狭持部を覆う絶縁材料で作られたカバーとを具備することを特徴とする。
【００１４】
本発明の実施形態では、前記カバーは、互いに対向する向きに回動可能に連結され、内側が中空になるように組み合う一対のカバー構成部材から成り、前記狭持部は、前記カバーの内側で、前記カバー構成部材の一方に取り付けらた導電性材料で作られた導電部と、前記カバー構成部材の他方に取り付けられ又は該他方のカバー構成部材の一部を成す狭持部材とから成る。この場合、一対のカバー構成部材は、互いに対向する向きに回動するように弾性部材によって付勢するのがよい。
【００１５】
また、別の実施形態では、前記狭持部材も導電性材料で作られている。
【００１６】
更に詳細には、前記電線は、ブレーカ等の充電部に接続される電線及び複数の電力量計に接続される電線である。
【００１７】
また、上記導電部には、その表面に凹凸を設けるのがよい。
【発明の効果】
【００１８】
本発明の配線具によれば、複数の電線又は該電線に連結された端子を狭持部で挟むだけで、電線又は端子間を簡単に電気的に導通させることができる。また、狭持部がカバーで覆われるため、感電等の危険を回避することができる。
【００１９】
また、互いに対向する向きに回動可能に連結され、内側が中空になるように組み合う一対のカバー構成部材でカバーを構成することにより、狭持部は、カバー構成部材の一方に取り付けた導電部と、他方に取り付け又は他方のカバー構成部材の一部を成す狭持部材とによって構成することができる。この場合、一対のカバー構成部材を、互いに対向する向きに回動するように弾性部材によって付勢することにより、電線又はこれに連結された端子を挟んで容易に保持することができる。
【００２０】
更に、狭持部材も導電性材料で作ることにより、狭持部で挟む電線又は端子を一層確実に電気的に導通させることができる。
【００２１】
ブレーカ等の充電部に接続される電線及び複数の電力量計に接続される電線を電気的に導通させることができるため、ブレーカ等の充電部に電力量計を設置して電力使用量の推移や電力量を記録することができる。この場合においても、狭持部がカバーで覆われているため、感電や短絡事故等の危険性を回避することができ、電力量計の取り付け作業を安全に行うことができる。また、ブレーカが複数ある場合であっても、本発明の配線具を用いることにより、１つのブレーカの充電部にのみ電線を接続すればよいため、全てのブレーカの充電部に電線を接続していた従来の電力の計量方法よりも感電等の危険性が格段に小さくなる。
【００２２】
導電部の表面に凹凸を設けることにより、狭持部に挟んで保持される電線又は端子が簡単に外れるのを防ぐことができる。
【発明を実施するための最良の形態】
【００２３】
図１は、実施例の配線具１ａ，１ｂ，１ｃを３つ使用し、分電盤（図示省略）内に配置された複数（例えば、３つ）のブレーカ２ａ，２ｂ，２ｃにこれと同数の携帯型の電力量計３ａ，３ｂ，３ｃを取り付けたときの状態を示す。
【００２４】
配線具１ａ，１ｂ，１ｃは、ブレーカ２ａ，２ｂ，２ｃの充電部に接続された電圧測定用の電線５と、３つの電力量計３ａ，３ｂ，３ｃにそれぞれ接続された電圧測定用コード７とを電気的に導通させる装置であり、電力量計３ａ，３ｂ，３ｃの取り付け作業中に感電や短絡事故が発生するのを防ぐため、プラスチック等の絶縁材料で作られたカバー８ａ，８ｂ，８ｃを備えている。カバー８ａ，８ｂ，８ｃは、その一部を切り欠くことにより、導通対象である電線５及び電圧測定用コード７を配線具１ａ，１ｂ，１ｃ内へ通す電線挿通部９ａ，９ｂ，９ｃが設けられている。充電部とは、電気が流れている部分のことであり、電力量計を取り付けること（具体的には、電圧測定）ができるように外部に露出した部分を有していることが望ましい。例えば、図のブレーカ２ａ，２ｂ，２ｃの場合、負荷側へ給電する電線１０を固定しているボルト（又はネジでもよい）１１を、電力量計３ａ，３ｂ，３ｃを取り付けるための充電部とすることができる。
【００２５】
配線具１ａ，１ｂ，１ｃとブレーカ２ａ，２ｂ，２ｃとを接続する電線５は、ブレーカ２ａ，２ｂ，２ｃ側にクリップ１３が取り付けられており、ブレーカ２ａ，２ｂ，２ｃの充電部であるボルト１１の頭部をクリップ１３で挟むことにより、ブレーカ２ａ，２ｂ，２ｃ側に接続される。これにより、各電力量計３ａ，３ｂ，３ｃでは、１つ（図では右端）のブレーカ２ａの充電部、具体的にはブレーカ２ａの負荷側に接続した３本の電線１０のうち２本の電線１０間の電位差を測定することができる。各ブレーカ２ａ，２ｂ，２ｃの電源側に接続される電線１５は、分電盤内で一系統に収束するため、上記のように一つのブレーカ２ａの充電部で測定した電圧を、ほかのブレーカ２ｂ，２ｃの充電部における電圧として電力及び電力量の算出に用いることができる。
【００２６】
また、電力量計３ａ，３ｂ，３ｃは、各ブレーカ２ａ，２ｂ，２ｃの充電部における電力及び電力量を算出するため、上記電圧のほかに各ブレーカ２ａ，２ｂ，２ｃを流れる電流の値を測定する。具体的には、各電力量計３ａ，３ｂ，３ｃには、２本の電流測定用コード１７が接続されており、各々の先端は、電線１０内を流れる電流を非接触で測定可能なクランプメータ１８に連結されている。クランプメータ１８は、負荷側の電線１０のうち２本の電線に流れる電流値を測定する。
【００２７】
電力量計３ａ，３ｂ，３ｃは、測定した電圧値及び電流値に基づいて使用された電力の推移及びその積算値である電力量を算出して記録する。また、電力量計３ａ，３ｂ，３ｃは、求めた電力量を画面上に表示することができるとともに、有線又は無線でコンピュータと通信可能な構成になっている。これにより、電力使用量の推移を所定期間（例えば、１０日間）記録した後、そのデータをコンピュータに送信することにより、電力使用量の多い時間帯を確認できるグラフ等の資料を作成することができ、効率的な省電力化を図るために利用することができる。
【００２８】
図２は、配線具１ａ，１ｂ，１ｃの構成及び組立方法を示す。尚、実施例の配線具１ａ，１ｂ，１ｃは、いずれも同じ構成であるため、ここでは配線具１ａについて説明する。
【００２９】
配線具１ａは、
少なくとも一部が導電性材料で作られており、複数の電線又は該電線に連結されたクリップ等の端子を挟んで電線又は端子間を電気的に導通させる狭持部２１と、
狭持部２１を覆うプラスチック等の絶縁材料で作られたカバー８ａと
で構成されている。
【００３０】
具体的には、カバー８ａは、互いに対向する向きに回動可能に連結可能で、内側が中空になるように組み合う一対のカバー構成部材２４ａ，２４ｂから成る。一方のカバー構成部材２４ａは、他方のカバー構成部材２４ｂより一回り大きく作られており、両側に突起２５が一対に設けられている。この一対の突起２５には、互いに連通するように孔２６が設けられている。また、他方のカバー構成部材２４ｂの両側にも突起２７が一対に設けられており、上下のカバー構成部材２４ａ，２４ｂ同士を組み合わせたとき、一方のカバー構成部材２４ａの突起２５に設けた孔２６と連通する孔２８が設けられている。
【００３１】
各カバー構成部材２４ａ，２４ｂを組み合わせた後、それぞれの突起２５，２７の孔２６，２８に金属等で作られたシャフト３１を通すことにより、カバー構成部材２４ａ，２４ｂは、シャフト３１を中心として回動することができる。シャフト３１には、一方のカバー構成部材２４ａの幅より少し広い間隔で全周に亘って切り欠くことにより小径部分３３が設けられており、先端同士が互いに対向するように内側に突出するコ字形部材３２を嵌め込むことができるようになっている。コ字形部材３２の先端同士の間隔は、シャフト３１の両端部に設けた小径部分３３の直径より少し小さくすることにより、コ字形部材３２を小径部分３３に嵌合させたときに容易に外れるのを防ぐことができる。
【００３２】
狭持部２１は、
カバー８ａの内側で、下側のカバー構成部材２４ｂに取り付けられた導電性材料で作られた導電部３４と、
上側のカバー構成部材２４ａに取り付けられたゴムやスポンジ等の弾性材料で作られた狭持部材３５と
で構成されている。
【００３３】
導電部３４は、導電性を有する金属棒の両端を同じ方向に垂直に折り曲げた形状を成しており、下側のカバー構成部材２４ｂに設けた一対の孔３６に両端部をそれぞれ嵌め込むことにより、カバー８ａの内側で下側のカバー構成部材２４ｂに固定される。孔３６には、予め接着剤を塗布しておいてもよい。また、導電部３４のうち、折り曲げ箇所よりも中央寄りの部分は、全周に亘ってその表面に凹凸３８が設けられており、導通対象である電線や端子を狭持部材３５との間で挟んだとき、電線や端子が容易に外れるのを防ぐことができるようになっている。
【００３４】
狭持部材３５は、例えば、ゴムやスポンジ等の弾性材料を、導電部３４を成す金属棒の径より大きい幅の直方体に形成して成り、カバー８ａの内側で上側のカバー構成部材２４ａに接着等の適宜の方法で取り付けられている。また、狭持部材３５は、導電部３４との間で導通対象である電線やこれに連結されたクリップ等の端子を挟んで保持できるように、カバー８ａの内側で導電部３４と対向する位置に取り付けるのがよい。
【００３５】
配線具１ａを組み立てるときは、まず、上側のカバー構成部材２４ａの内側の面（下側のカバー構成部材２４ｂと対向する面）に狭持部材３５を取り付け、下側のカバー構成部材２４ｂに設けた孔３６に導電部３４の両端部を嵌め込んで固定する。
【００３６】
次に、一対のカバー構成部材２４ａ，２４ｂ同士を組み合わせ、上側のカバー構成部材２４ａの一方の突起２５側からシャフト３１を挿入し、下側のカバー構成部材２４ｂの一方の突起２７の孔２８に通す。このとき、下側のカバー構成部材２４ｂの両側に設けた突起２７同士の間に一対のねじりバネ４０を配置し、シャフト３１を更に挿入して、各ねじりバネ４０の中心に形成されている孔に通し、下側のカバー構成部材２４ｂの他方の突起２７に設けた孔２８と、上側のカバー構成部材２４ａの他方の突起２５に設けた孔２６の順に貫通させる。そして、上側のカバー構成部材２４ａの突起２５の両側にシャフト３１の両端部を突出させた状態で、シャフト３１の両端部に設けた小径部分３３にコ字形部材３２をそれぞれ嵌め込む。これにより、一対のカバー構成部材２４ａ，２４ｂは、一対のねじりバネ４０の反発力によって付勢され、互いに対向する向きに回動し、導電部３４と狭持部材３５の間で電線又はこれに連結されたクリップ等の端子を挟むことにより、これらの電線又は端子間を電気的に導通させることができる。
【００３７】
図３は、導電部３４に設けた凹凸３８を示す。この凹凸３８は、導電部３４の表面に、導電部３４の軸と平行及び周方向に一定の間隔で溝４２を設けることにより形成されている。
【００３８】
図４は、配線具１ａの内側の状態を示す断面図である。カバー８ａを構成する一対のカバー構成部材２４ａ，２４ｂは、ねじりバネ４０の反発力を受けて互いに対向する向きに付勢されるため、カバー８ａの内側では、狭持部２１は、図のように、導電部３４と狭持部材３５が互いに圧接した状態になる。また、前述のとおり、上側のカバー構成部材２４ａは、下側のカバー構成部材２４ｂより大きく作られているため、一対のカバー構成部材２４ａ，２４ｂ同士を組み合わせると、下側のカバー構成部材２４ｂは、カバー構成部材２４ａの内側に入り込んだ状態になる。
【００３９】
図５は、導通対象である電線に連結された端子の一例のクリップ４４を、狭持部２１で挟んで保持するときの状態を示す。導通対象である電線又はこれに連結されたクリップ４４等の端子を狭持部２１で挟むときは、配線具１ａの後方部分（図５では右側部分）を握って、カバー構成部材２４ａ，２４ｂの前方部分の間隔を拡げる。これにより、配線具１ａの内側が露出されるので、クリップ４４で導電部３４を容易に挟むことができる。
【００４０】
そして、配線具１ａの後方部分に掛けた圧力をゆっくりと緩めてカバー構成部材２４ａ，２４ｂを組み合わせると、クリップ４４は、図６のように、導電部３４と狭持部３５の間に挟まれた状態で保持される。導通対象が電線の場合には、電線を導電部３４に接触させたまま、一対のカバー構成部材２４ａ，２４ｂ同士をゆっくりと組み合わせることにより、電線が導電部３４と狭持部３５の間に挟まれた状態で保持される。このとき、弾性材料で作られた狭持部３５は、ねじりバネ４０の反発力を受けて導電部３４側へ付勢され、クリップ４４に圧接して変形することにより、導電部３４との間でクリップ４４を一層確実に保持することができる。
【００４１】
図７は、ブレーカ２ａ（図１）の充電部に接続される電圧測定用の電線５と、３つの電力量計３ａ，３ｂ，３ｃにそれぞれ接続される３本の電圧測定用コード７を配線具１ａ内で電気的に導通させて分岐配線を構成した状態を示す。
【００４２】
実施例では、ブレーカ２ａの充電部に接続される電線５と、３本の電圧測定用コード７のそれぞれの端部にクリップ４４を取り付けておき、配線具１ａ内で各クリップ４４によって導電部３４を挟むことができるようにした。また、カバー８ａは、狭持部２１を覆うだけでなく、これに保持される導通対象であるクリップ４４等の端子も覆うことができるので、別系統のクリップや電線と接触するおそれがなく、電力量計３ａ，３ｂ，３ｃの取り付け作業を安全に行うことができる。
【００４３】
以上、実施例の配線具１ａ，１ｂ，１ｃについて説明したが、ブレーカ２ａ，２ｂ，２ｃの個数が３つの場合に限らず、例えば、２個でもよいし、４個以上でもよい。４個以上のブレーカにこれと同数の電力量計を取り付けるときは、１つのブレーカの充電部に接続する電線と、各電力量計に接続される電圧測定用コードを実施例の配線具１ａ，１ｂ，１ｃ内で保持して電気的に導通させればよい。
【００４４】
また、実施例では、狭持部材３５は、ゴムやスポンジ等の弾性材料で作られているが、導電性の有無、及び弾性と塑性の相違に拘わらず、導電部３４との間で導通対象である電線５，７やクリップ４４等の端子を挟んで保持可能な任意の材料で作ることができる。更に、導電性と弾性を備えた材料である導電性ゴムで狭持部材３５を作ることもできる。
【００４５】
実施例では、狭持部材３５は、上側のカバー構成部材２４ａに固定したが、カバー構成部材２４ａの一部であってもよい。例えば、上側のカバー構成部材２４ａをカバー８ａ，８ｂ，８ｃの内側に向って突出させ、その突出部分が狭持部材を成すことができる。
【００４６】
更に、実施例では、一対のカバー構成部材２４ａ，２４ｂは、ねじりバネ４０の反発力によって付勢され、シャフト３１より前方（図２では左側）の部分が互いに対向する向きに回動するように構成したが、カバー８ａの内側でシャフト３１より後方（図２では右側）にコイルスプリングを設けて、このスプリングの反発力を利用することもできる。或いは、シャフト３１より前方（図２では左側）にコイルスプリングを設けて、その収縮力を利用して、互いに対向する向きに回動させることもできる。
【００４７】
実施例の導電部３４に設けた凹凸３８は、導電部３４に溝を設けることにより形成されているが、導電部３４の表面に突起を成す金属片を溶接等の適宜の手段で取り付けることにより形成することもできる。
【図面の簡単な説明】
【００４８】
【図１】実施例の配線具を３つ使用し、３つのブレーカにこれと同数の携帯型の電力量計を取り付けたときの状態を示す図。
【図２】配線具の構成及び組立方法を示す図。
【図３】導電部に設けた凹凸を示す図。
【図４】配線具の内側の状態を示す断面図。
【図５】導通対象である電線に連結されたクリップを、導電部と狭持部の間で挟んで保持するときの状態を示す図。
【図６】導通対象である電線に連結されたクリップを、導電部と狭持部の間で挟んで保持した状態を示す図。
【図７】ブレーカの充電部に接続される電圧測定用の電線と、３つの電力量計にそれぞれ接続される３本の電圧測定用コードを配線具内で電気的に導通させて分岐配線を構成した状態を示す図。
【図８】３つのブレーカにこれと同数の携帯型の電力量計を従来の方法で取り付けたときの状態を示す図。
【符号の説明】
【００４９】
１ａ，１ｂ，１ｃ…配線具、２ａ，２ｂ，２ｃ…ブレーカ、３ａ，３ｂ，３ｃ…電力量計、５…電線、７…電圧測定用コード、８ａ，８ｂ，８ｃ…カバー、９ａ，９ｂ，９ｃ…電線挿通部、１０，１５…電線、１１…ボルト、１３，４４…クリップ、１７…電流測定用コード、１８…クランプメータ、２１…狭持部、２４ａ，２４ｂ…カバー構成部材、２５，２７…突起、２６，２８，３６…孔、３１…シャフト、３２…コ字形部材、３４…導電部、３５…狭持部材、３８…凹凸、４０…バネ、４２…溝。
【図１】
2007005199.tif 000003
【図２】
2007005199.tif 000004
【図３】
2007005199.tif 000005
【図４】
2007005199.tif 000006
【図５】
2007005199.tif 000007
【図６】
2007005199.tif 000008
【図７】
2007005199.tif 000009
【図８】
2007005199.tif 000010
【手続補正書】
【提出日】平成17年7月14日(2005.7.14)
【手続補正１】
【補正対象書類名】明細書
【補正対象項目名】０００６
【補正方法】変更
【補正の内容】
【０００６】
具体的には、各電力量計３ａ，３ｂ，３ｃには、３本の電圧測定用コード７及び２本の電流測定用コード１７が接続される。各電圧測定用コード７の一端は、クリップ１３に連結され、負荷側へ電力を供給する電線１０をブレーカ２ａ，２ｂ，２ｃに固定しているボルト１１の頭部をクリップ１３で挟むことにより、負荷側の電線１０に接続される。電流測定用コード７の一端は、電線内を流れる電流を非接触で測定可能なクランプ１８に連結されている。クランプ１８は、負荷側の３本の電線１０のうち２本の電線に流れる電流を測定するのに用いられる。そして、電力量計３ａ，３ｂ，３ｃは、測定した電圧値及び電流値に基づいて電力使用量の推移を記録する。
【手続補正２】
【補正対象書類名】明細書
【補正対象項目名】００２６
【補正方法】変更
【補正の内容】
【００２６】
また、電力量計３ａ，３ｂ，３ｃは、各ブレーカ２ａ，２ｂ，２ｃの充電部における電力及び電力量を算出するため、上記電圧のほかに各ブレーカ２ａ，２ｂ，２ｃを流れる電流の値を測定する。具体的には、各電力量計３ａ，３ｂ，３ｃには、２本の電流測定用コード１７が接続されており、各々の先端は、電線１０内を流れる電流を非接触で測定可能なクランプ１８に連結されている。クランプ１８は、負荷側の電線１０のうち２本の電線に流れる電流値を測定する。
【手続補正３】
【補正対象書類名】明細書
【補正対象項目名】００４９
【補正方法】変更
【補正の内容】
【００４９】
１ａ，１ｂ，１ｃ…配線具、２ａ，２ｂ，２ｃ…ブレーカ、３ａ，３ｂ，３ｃ…電力量計、５…電線、７…電圧測定用コード、８ａ，８ｂ，８ｃ…カバー、９ａ，９ｂ，９ｃ…電線挿通部、１０，１５…電線、１１…ボルト、１３，４４…クリップ、１７…電流測定用コード、１８…クランプ、２１…狭持部、２４ａ，２４ｂ…カバー構成部材、２５，２７…突起、２６，２８，３６…孔、３１…シャフト、３２…コ字形部材、３４…導電部、３５…狭持部材、３８…凹凸、４０…バネ、４２…溝。